(57)【要約】【課題】手書きによる書き込みが容易であり、入力された情報と手書きによる書き込みとの合成が容易な情報合成表示システム、情報合成表示装置及び情報合成制御装置を提供することを目的とする。【解決手段】情報合成表示装置１は、同一のレイアウトが表示された合成表示領域２１および手書き入力領域２２を含む表示手段と、手書き入力領域２２上への手書きによる書き込みを受け付け、その書き込みを視覚的に保持する手書受付保持手段と、手書きによる書き込みを手書入力情報として取り込む手書入力情報取込手段４６とを有し、情報合成制御装置４１は、合成表示領域４７に表示されている情報と手書入力情報取込手段が取り込んだ手書入力情報とを合成する合成手段と、合成された合成情報を表示手段の合成表示領域４７に表示させる表示制御手段とを有することにより上記課題を解決する。【選択図】図４
2007257058.tif 000002
【特許請求の範囲】
【請求項１】
情報合成表示装置および情報合成制御装置を有する情報合成表示システムであって、
前記情報合成表示装置は、同一のレイアウトが表示された合成表示領域および手書き入力領域を含む表示手段と、
前記手書き入力領域上への手書きによる書き込みを受け付け、その書き込みを視覚的に保持する手書受付保持手段と、
前記手書受付保持手段が受け付けた手書きによる書き込みを手書入力情報として取り込む手書入力情報取込手段とを有し、
前記情報合成制御装置は、前記合成表示領域に表示されている情報と前記手書入力情報取込手段が取り込んだ手書入力情報とを保存する保存手段と、
前記合成表示領域に表示されている情報と前記手書入力情報取込手段が取り込んだ手書入力情報とを合成する合成手段と、
前記合成手段により合成された合成情報を前記表示手段の合成表示領域に表示させる表示制御手段とを有することを特徴とする情報合成表示システム。
【請求項２】
前記情報合成表示システムは、更に１つ以上の端末装置を有しており、
前記情報合成制御装置の保存手段は、前記端末装置から入力された情報を保存し、
前記合成手段は、合成表示領域に表示されている情報と、前記手書入力情報取込手段が取り込んだ手書入力情報と、前記端末装置から入力された情報とを合成することを特徴とする請求項１記載の情報合成表示システム。
【請求項３】
前記表示制御手段は、前記合成手段により合成された合成情報を前記端末装置に表示させることを特徴とする請求項２記載の情報合成表示システム。
【請求項４】
前記表示手段は、印字および印字した内容を消去可能なリライタブルシートと、
前記リライタブルシートに印字および印字した内容の消去を行う印字消去装置とを有することを特徴とする請求項１記載の情報合成表示システム。
【請求項５】
前記手書受付保持手段は、前記表示手段の表示面の前方に設けられており、前記表示手段を透視可能な板であることを特徴とする請求項１記載の情報合成表示システム。
【請求項６】
前記手書入力情報取込手段は、前記手書受付保持手段が受け付けた手書きによる書き込みを撮影し、手書入力情報として取り込む撮影手段であることを特徴とする請求項１記載の情報合成表示システム。
【請求項７】
前記情報合成制御装置は、前記手書受付保持手段と前記撮影手段との間に障害物を検出したときに前記保存手段へ前記手書入力情報を保存しない検出手段を更に有することを特徴とする請求項６記載の情報合成表示システム。
【請求項８】
前記情報合成制御装置は、前記手書入力情報の変化を検出したときに前記保存手段へ前記手書入力情報を保存する検出手段を更に有することを特徴とする請求項１記載の情報合成表示システム。
【請求項９】
前記レイアウトは、前記手書受付保持手段が受け付けた手書きによる書き込みの表示位置を一意に決定する領域判別情報であることを特徴とする請求項１記載の情報合成表示システム。
【請求項１０】
前記情報合成制御装置は、他のシステムとのインターフェース手段を更に有し、
前記合成手段が、前記合成表示領域に表示されている情報と、前記手書入力情報取込手段が取り込んだ手書入力情報と、前記他のシステムから取得した情報とを合成することを特徴とする請求項１記載の情報合成表示システム。
【請求項１１】
情報合成制御装置に接続された情報合成表示装置であって、
同一のレイアウトが表示された合成表示領域および手書き入力領域を含む表示手段と、
前記手書き入力領域上への手書きによる書き込みを受け付け、その書き込みを視覚的に保持する手書受付保持手段と、
前記手書受付保持手段が受け付けた手書きによる書き込みを手書入力情報として取り込む手書入力情報取込手段とを有し、
前記合成表示領域に表示されている情報と前記手書入力情報取込手段が取り込んだ手書入力情報とが合成された合成情報を前記情報合成制御装置からの制御により、前記表示手段の合成表示領域に表示する情報合成表示装置。
【請求項１２】
同一のレイアウトが表示された合成表示領域および手書き入力領域を含む表示手段と、
前記手書き入力領域上への手書きによる書き込みを受け付け、その書き込みを視覚的に保持する手書受付保持手段と、
前記手書受付保持手段が受け付けた手書きによる書き込みを手書入力情報として取り込む手書入力情報取込手段と
を有する情報合成表示装置に接続された情報合成制御装置であって、
前記合成表示領域に表示されている情報と前記手書入力情報取込手段が取り込んだ手書入力情報とを保存する保存手段と、
前記合成表示領域に表示されている情報と前記手書入力情報取込手段が取り込んだ手書入力情報とを合成する合成手段と、
前記合成手段により合成された合成情報を前記表示手段の合成表示領域に表示させる表示制御手段と
を有することを特徴とする情報合成制御装置。
【発明の詳細な説明】
【技術分野】
【０００１】
本発明は、情報合成表示システム、情報合成表示装置及び情報合成制御装置に係り、特に手書きによる書き込みを合成して表示させる情報合成表示システム、情報合成表示装置および情報合成制御装置に関する。
【背景技術】
【０００２】
例えば複数のユーザで共有する情報はホワイトボードや黒板に手書きにより記入して利用されてきた。しかし、ホワイトボードや黒板に手書きにより記入された情報はカメラで撮影した映像を配信する等しなければホワイトボードや黒板から離れた場所から確認することができなかった。
【０００３】
近年のコンピュータネットワークの普及に伴い、複数のユーザで共有する情報は電子文書掲示システム（例えば特許文献１参照）などで管理することが可能となった。電子文書掲示システムなどで管理する情報は、通信回線を介したＰＣ、電子黒板（例えば特許文献２参照）等、離れた場所での掲示が可能である。
【０００４】
また、従来の電子掲示板システムにはコンピュータネットワークを利用し、複数のＰＣ等からの入力や手書き表示装置に対する手書きによる書き込みにより情報を入力するものもあった（特許文献３参照）。さらに、従来の電子黒板には、手書きによる書き込みにより情報を入力し、その情報をＰＣへ送信するものもあった（特許文献４参照）。
【特許文献１】特開２００２−７３６１９号公報
【特許文献２】特開平１１−７８３７０号公報
【特許文献３】特開２００４−３３６４７９号公報
【特許文献４】特開２００２−２４０４９１号公報
【発明の開示】
【発明が解決しようとする課題】
【０００５】
しかしながら、従来の電子掲示板システムや電子黒板に手書きによる書き込みにより情報を入力する場合は指定のダミーペン等を利用しなければならず、従来のホワイトボードで使っていた例えば水性マーカを使用できなかった。したがって、従来の電子掲示板システムや電子黒板では指定のダミーペン等を紛失した場合に情報の入力ができなくなり、且つ書き味が通常の水性マーカ等と異なっているという問題があった。このように、ホワイトボードで使っていた水性マーカを電子掲示板システムや電子黒板に対する手書きによる書き込みに利用できれば、紛失や書き味を考慮すると便利である。
【０００６】
一方、水性マーカを電子掲示板システムや電子黒板に対する手書きによる書き込みに利用した場合は、最初から掲示されている情報と手書きにより書き込まれた情報との区別が難しく、他のＰＣ等からも情報の入力があるときに情報の合成が複雑になるという問題があった。この点では、電子掲示板システムや電子黒板への指定のダミーペン等による入力が優れている。
【０００７】
本発明は、上記の点に鑑みなされたもので、複数のユーザで共有している情報への手書きによる書き込みが容易であり、複数のユーザから入力された情報と手書きによる書き込みとの合成が容易な情報合成表示システム、情報合成表示装置及び情報合成制御装置を提供することを目的とする。
【課題を解決するための手段】
【０００８】
上記課題を解決するため、本発明は、情報合成表示装置および情報合成制御装置を有する情報合成表示システムであって、前記情報合成表示装置は、同一のレイアウトが表示された合成表示領域および手書き入力領域を含む表示手段と、前記手書き入力領域上への手書きによる書き込みを受け付け、その書き込みを視覚的に保持する手書受付保持手段と、前記手書受付保持手段が受け付けた手書きによる書き込みを手書入力情報として取り込む手書入力情報取込手段とを有し、前記情報合成制御装置は、前記合成表示領域に表示されている情報と前記手書入力情報取込手段が取り込んだ手書入力情報とを保存する保存手段と、前記合成表示領域に表示されている情報と前記手書入力情報取込手段が取り込んだ手書入力情報とを合成する合成手段と、前記合成手段により合成された合成情報を前記表示手段の合成表示領域に表示させる表示制御手段とを有することを特徴とする。
【０００９】
また、本発明は、情報合成制御装置に接続された情報合成表示装置であって、同一のレイアウトが表示された合成表示領域および手書き入力領域を含む表示手段と、前記手書き入力領域上への手書きによる書き込みを受け付け、その書き込みを視覚的に保持する手書受付保持手段と、前記手書受付保持手段が受け付けた手書きによる書き込みを手書入力情報として取り込む手書入力情報取込手段とを有し、前記合成表示領域に表示されている情報と前記手書入力情報取込手段が取り込んだ手書入力情報とが合成された合成情報を前記情報合成制御装置からの制御により、前記表示手段の合成表示領域に表示することを特徴とする。
【００１０】
また、本発明は、同一のレイアウトが表示された合成表示領域および手書き入力領域を含む表示手段と、前記手書き入力領域上への手書きによる書き込みを受け付け、その書き込みを視覚的に保持する手書受付保持手段と、前記手書受付保持手段が受け付けた手書きによる書き込みを手書入力情報として取り込む手書入力情報取込手段とを有する情報合成表示装置に接続された情報合成制御装置であって、前記合成表示領域に表示されている情報と前記手書入力情報取込手段が取り込んだ手書入力情報とを保存する保存手段と、前記合成表示領域に表示されている情報と前記手書入力情報取込手段が取り込んだ手書入力情報とを合成する合成手段と、前記合成手段により合成された合成情報を前記表示手段の合成表示領域に表示させる表示制御手段とを有することを特徴とする。
【００１１】
なお、本発明の構成要素、表現または構成要素の任意の組合せを、方法、装置、システム、コンピュータプログラム、記録媒体、データ構造などに適用したものも本発明の態様として有効である。
【発明の効果】
【００１２】
本発明によれば、複数のユーザで共有している情報への手書きによる書き込みが容易であり、複数のユーザから入力された情報と手書きによる書き込みとの合成が容易な情報合成表示システム、情報合成表示装置及び情報合成制御装置を提供できる。
【発明を実施するための最良の形態】
【００１３】
次に、本発明を実施するための最良の形態を、以下の実施例に基づき図面を参照しつつ説明していく。なお、本実施例では情報合成表示システムの一例として行先掲示板表示システムを例に説明するが、手書きによる書き込みを合成して表示する如何なるシステムであってもよい。
【００１４】
図１は本発明による行先掲示板表示装置のリライタブルシートと透明板との関係を示す外観図である。図１（ａ）はリライタブルシート１１と透明板１２との関係を平面図で示している。図１（ｂ）はリライタブルシート１１と透明板１２との関係を正面図で示している。
【００１５】
図１は、行先掲示板表示装置１のリライタブルシート１１と、リライタブルシート１１を掛け渡すシート送りローラ１０ａ，１０ｂと、リライタブルシート１１の前方に設けられている透明板１２と、シート送りローラ１０ａ，１０ｂを駆動させる駆動装置１５とを示している。
【００１６】
行先掲示板表示装置１はユーザからの指示により駆動装置１５が駆動し、リライタブルシート１１を右方向又は左方向に循環させる。行先掲示板表示装置１は図示していない印字消去装置を利用することでリライタブルシート１１上に文字等を印刷できる。文字「帰宅」１３はリライタブルシート１１上に印刷された文字の一例である。また、ユーザは水性マーカ等のマーカ１６で透明板１２上に手書きで書き込みができる。筆跡１４は透明板１２上にマーカで書き込まれた筆跡の一例である。
【００１７】
図２は行先掲示板表示装置が扱う領域を示すイメージ図である。行先掲示板表示装置１はリライタブルシート１１上の領域を合成表示領域２１と手書き入力領域２２とに分けて扱っている。合成表示領域２１は、後述する合成情報を印字消去装置により印刷される領域である。手書き入力領域２２はユーザがマーカ１６で透明板１２上に手書きで書き込みを行う領域である。
【００１８】
図３は行先掲示板表示装置がリライタブルシート上の合成表示領域および手書き入力領域に印刷する行先掲示板の一例を示すイメージ図である。行先掲示板表示装置１はリライタブルシート１１上の合成表示領域２１および手書き入力領域２２に、同一のレイアウト３１，３２を印刷する。図３に示したレイアウト３１，３２は、氏名，出社，退社，行き先および帰社時間から成る行先掲示板の例を示している。なお、ユーザがマーカ１６で透明板１２上に手書きで書き込んだ筆跡１４は、後述するカメラにより手書入力情報として取り込まれる。
【実施例１】
【００１９】
図４は本発明による行先掲示板表示システムの一実施例の構成図である。図４の行先掲示板表示システム４０は、行先掲示板制御装置４１，複数のコンピュータ装置４２ａ〜４２ｄ，ファイアウォール４３が、例えばＬＡＮ等のネットワーク４５を介して接続されている。また、コンピュータ装置４２ｅはインターネット４４及びファイアウォール４３を介してネットワーク４５に接続されている。また、行先掲示板制御装置４１は行先掲示板表示装置１に接続されている。以下の説明では、コンピュータ装置４２ａ〜４２ｅの何れでもよい場合、単にコンピュータ装置４２と言う。
【００２０】
行先掲示板表示装置１はリライタブルシート１１上の合成表示領域２１に、レイアウトへ情報が合成された合成情報４７を印刷し、情報が合成されていないレイアウト４８を手書き入力領域２２に印刷している。なお、図４のレイアウト４８は透明板１２を透過して見えるリライタブルシート１１上のレイアウトを表しており、手書き入力領域２２上の透明板１２上に手書きで書き込まれている筆跡の「大森」が重畳して見えている。
【００２１】
行先掲示板表示装置１に設けられたカメラ４６は、透明板１２に手書きで書き込まれている筆跡を撮影し、手書入力情報として行先掲示板制御装置４１に送信する。行先掲示板制御装置４１は受信した手書入力情報に基づき、リライタブルシート１１上の合成表示領域２１に印刷されている合成情報４７を後述するように更新する。
【００２２】
また、行先掲示板制御装置４１は、コンピュータ装置４２ａ〜４２ｅからの要求に基づいて、リライタブルシート１１上の合成表示領域２１に印刷されている合成情報４７を後述するように更新できる。行先掲示板制御装置４１は、コンピュータ装置４２ａ〜４２ｅからの要求に基づいてコンピュータ装置４２ａ〜４２ｅのディスプレイ装置等に合成情報４７を表示する。
【００２３】
次に、リライタブルシート１１上の合成表示領域２１に印刷された合成情報を更新する処理について説明する。図５及び図６は合成情報更新処理の一例のイメージ図である。
【００２４】
行先掲示板表示装置１に設けられたカメラ４６はリライタブルシート１１上の手書き入力領域２２を撮影する。リライタブルシート１１上の手書き入力領域２２には情報が合成されていないレイアウト３２が印刷されており、手書き入力領域２２上の透明板上に手書きで書き込まれている筆跡５１の「１０Ｆ」が重畳して見えている。従って、カメラ４６はリライタブルシート１１上の手書き入力領域２２を撮影して画像５２を出力する。
【００２５】
行先掲示板制御装置４１は画像５２を受信する。行先掲示板制御装置４１は受信した画像５２を、レイアウト３２に設定されているインデックス付けされた表示領域５３として認識する。例えばレイアウト３２は７行（ｙ１〜ｙ７）×４列（ｘ１〜ｘ４）の指定領域から成る表示領域５３として認識される。行先掲示板制御装置４１は表示領域５３から変化のあった指定領域５４を検出する。行先掲示板制御装置４１は指定領域５４を検出した位置に合わせて、合成情報６１に指定領域５４を合成する。
【００２６】
また、コンピュータ装置４２から合成情報６１の更新要求があると、行先掲示板制御装置４１は更新要求に基づいて、合成情報６１を更新する。合成情報６１は、コンピュータ装置４２のブラウザ６２から「１４：００帰宅」が入力された例を表している。
【００２７】
行先掲示板制御装置４１は印字消去装置を利用し、合成情報６１をリライタブルシート１１上の合成表示領域２１に印刷する。したがって、行先掲示板制御装置４１はリライタブルシート１１上の合成表示領域２１に印刷されていた合成情報を、新たに合成した合成情報６１で更新できる。
【００２８】
新たに合成した合成情報６１で更新された後、行先掲示板制御装置４１はコンピュータ装置４２からの要求に基づいて、コンピュータ装置４２のブラウザ６３に合成情報６１を表示できる。
【００２９】
図７は上書きによる合成情報更新処理の一例のイメージ図である。例えば図５及び図６を用いて説明したように、指定領域５４を検出した位置に合わせて、合成情報６１に指定領域５４を合成したあと、行先掲示板制御装置４１はコンピュータ装置４２からの要求に基づいて、コンピュータ装置４２のブラウザ７１に合成情報７２を表示する。
【００３０】
コンピュータ装置４２から合成情報７２の上書き要求があると、行先掲示板制御装置４１は上書き要求に基づき、合成情報７２を合成情報７３又は７４のように更新する。合成情報７３及び７４は、コンピュータ装置４２のブラウザ７１から「１４：００帰宅」が入力された例を表している。
【００３１】
合成情報７３は、合成情報７２に合成されている指定領域５４の筆跡「１０Ｆ」へ重ならない位置に「１４：００帰宅」が合成された例である。なお、行先掲示板制御装置４１は筆跡「１０Ｆ」と「１４：００帰宅」との間に「→」を追加合成している。そして、行先掲示板制御装置４１は印字消去装置を利用し、合成情報７３をリライタブルシート１１上の合成表示領域２１に印刷する。
【００３２】
また、合成情報７４は合成情報７２に合成されている指定領域５４の筆跡「１０Ｆ」へ重なる位置に「１４：００帰宅」が合成された例である。行先掲示板制御装置４１は印字消去装置を利用し、合成情報７４をリライタブルシート１１上の合成表示領域２１に印刷する。
【００３３】
新たに合成した合成情報７４で更新された後、行先掲示板制御装置４１はコンピュータ装置４２からの要求に基づいて、コンピュータ装置４２のブラウザ７５に合成情報７４を表示できる。
【００３４】
図８は追記による合成情報更新処理の一例のイメージ図である。例えば図５及び図６を用いて説明したように、指定領域５４を検出した位置に合わせて、合成情報６１に指定領域５４を合成したあと、行先掲示板制御装置４１はコンピュータ装置４２からの要求に基づいて、コンピュータ装置４２のブラウザ８１に合成情報８２を表示する。
【００３５】
コンピュータ装置４２から合成情報８２の追記要求があると、行先掲示板制御装置４１はコンピュータ装置４２からの追記要求に基づいて、合成情報８２を合成情報８３のように更新する。合成情報８３は、コンピュータ装置４２のブラウザ８１から「戻り１４：００」が入力された例を表している。
【００３６】
合成情報８３は、合成情報８２に合成されている指定領域５４の筆跡「１０Ｆ」へ重ならない位置に「戻り１４：００」が合成された例である。行先掲示板制御装置４１は印字消去装置を利用し、合成情報８３をリライタブルシート１１上の合成表示領域２１に印刷する。
【００３７】
新たに合成した合成情報８３で更新された後、行先掲示板制御装置４１はコンピュータ装置４２からの要求に基づいて、コンピュータ装置４２のブラウザ８４に合成情報８３を表示できる。
【００３８】
次に、行先掲示板制御装置４１の構成について説明する。図９は行先掲示板制御装置の構成を説明する為の一例の構成図である。図９の行先掲示板制御装置４１は、リライタブルボード印刷ドライバ９１と、表示、更新機能９２と、印刷機能９３と、保存ファイル９４と、掲示板認識用レイアウト編集機能９５と、撮影、検出機能９６と、カメラ撮影ドライバ９７とを有する構成である。
【００３９】
図９の行先掲示板制御装置４１が有する各構成の処理手順について図１０のシーケンス図を参照しつつ説明する。図１０は行先掲示板制御装置の処理手順について説明する為のシーケンス図である。
【００４０】
ステップＳ１に進み、コンピュータ装置４２のブラウザ１００はユーザからの更新入力を受け付ける。ステップＳ２に進み、コンピュータ装置４２のブラウザ１００は行先掲示板制御装置４１の表示、更新機能９２に更新要求を行う。ブラウザ１００からの更新要求には、図１１のような外部入力情報が含まれる。図１１は、外部入力情報の一例の構成図である。
【００４１】
ステップＳ３に進み、表示、更新機能９２は、保存ファイル９４が保存している合成表示領域２１に合成情報を表示する為の表示用画像（以下、単に表示用画像という）を更新する。ステップＳ４に進み、表示、更新機能９２は印刷機能９３に印刷要求を行う。印刷機能９３はリライタブルボード印刷ドライバ９１を介して、行先掲示板表示装置１のリライタブルシート１１上の合成表示領域２１に表示用画像を印刷する。
【００４２】
また、印刷機能９３は、保存ファイル９４に保存されている手書き入力領域２２にレイアウトを表示するためのレイアウト用画像（以下、単にレイアウト用画像という）を読み出し、リライタブルボード印刷ドライバ９１を介して行先掲示板表示装置１のリライタブルシート１１上の手書き入力領域２２にレイアウト用画像を印刷する。
【００４３】
なお、レイアウト用画像は保存ファイル９４に保存されているレイアウト定義情報を利用して生成できる。なお、レイアウト定義情報は掲示板認識用レイアウト編集機能９５を利用して編集可能である。
【００４４】
ステップＳ５に進み、表示、更新機能９２はコンピュータ装置４２のブラウザ１００に表示更新を指示する。ステップＳ６に進み、ブラウザ１００は更新された表示用画像を更新表示する。
【００４５】
ステップＳ７に進み、コンピュータ装置４２のブラウザ１００はユーザからの更新入力を受け付ける。ステップＳ８に進み、コンピュータ装置４２のブラウザ１００は行先掲示板制御装置４１の表示、更新機能９２に更新要求を行う。
【００４６】
ステップＳ９に進み、表示、更新機能９２は、保存ファイル９４が保存している表示用画像を更新する。ただし、表示、更新機能９２は行先掲示板表示装置１が情報更新中であるため、印刷機能９３に対する印刷要求を行わない。ステップＳ１０に進み、表示、更新機能９２はコンピュータ装置４２のブラウザ１００に表示更新を指示する。ステップＳ１１に進み、ブラウザ１００は更新された表示用画像を更新表示する。
【００４７】
ステップＳ１２では、ユーザが手書き入力領域２２上の透明板１２に手書きで書き込みを行っている。例えば印刷開始から一定時間待ったあと、撮影、検出機能９６はステップＳ１３に進み、カメラ撮影ドライバ９７を利用し、カメラ４６にリライタブルシート１１上の手書き入力領域２２を撮影させる。
【００４８】
撮影、検出機能９６は、リライタブルシート１１上の手書き入力領域２２を撮影した撮影画像（以下、単に撮影画像という）をカメラ４６からカメラ撮影ドライバ９７を介して取得する。そして、撮影、検出機能９６はステップＳ１４に進み、取得した撮影画像を利用し、保存ファイル９４が保存している表示用画像を更新する。
【００４９】
ステップＳ１３〜Ｓ１４における撮影、検出機能９６の処理を更に説明する。図１２は撮影、検出機能が行う処理手順を示した一例のフローチャートである。
【００５０】
撮影、検出機能９６は印刷開始から指定時間が経過したと判定するまでステップＳ１０１の処理を繰り返し行う。印刷開始から指定時間が経過したと判定すると（Ｓ１０１においてＹＥＳ）、撮影、検出機能９６はステップＳ１０２に進み、カメラ４６からカメラ撮影ドライバ９７を介して撮影画像を取得し、必要な補正として「あおり補正」を行う。「あおり補正」の詳細は、例えば特開２００１−１７７７１６号公報に記載されている。
【００５１】
撮影、検出機能９６は「あおり補正」により、例えば図１３（ａ）に示すように上方向から手書き入力領域２２を撮影した歪んだ撮影画像を、図１３（ｂ）に示すように歪みの取れた撮影画像に補正できる。図１３は、あおり補正について説明する為のイメージ図である。
【００５２】
ステップＳ１０３に進み、撮影、検出機能９６は例えば保存ファイル９４に撮影画像を一時保存する。ステップＳ１０４に進み、撮影、検出機能９６は撮影画像に障害物が写っているか否かを判定する為の障害物検知を行う。なお、障害物検知は例えば図１４に示すような撮影画像中の障害物判断領域１４１を利用して行うことができる。図１４は障害物検知の処理を説明する為のイメージ図である。撮影、検出機能９６は、障害物判断領域１４１に変化があるか否かで障害物が写っているか否かを判定できる。
【００５３】
障害物が有ると判定すると（Ｓ１０４においてＮＯ）、撮影、検出機能９６はステップＳ１０１に戻る。一方、障害物が無いと判定すると（Ｓ１０４においてＹＥＳ）、撮影、検出機能９６はステップＳ１０５に進み、前述した指定領域毎に表示用画像及び撮影画像の画素値を比較する。
【００５４】
ステップＳ１０６に進み、撮影、検出機能９６は比較の結果、表示用画像と撮影画像とで画素値が異なる画素数が指定領域に定義されている閾値を越えたか否かを判定する。閾値を越えたと判定すると（Ｓ１０６においてＹＥＳ）、撮影、検出機能９６はステップＳ１０７に進み、変化のあった指定領域であると判定し、その指定領域を撮影画像から切り出す。
【００５５】
ステップＳ１０８に進み、撮影、検出機能９６は切り出した指定領域を、保存ファイル９４に保存されている表示用画像の指定位置に合成し、ステップＳ１０９に進む。閾値を越えていないと判定すると（Ｓ１０６においてＮＯ）、撮影、検出機能９６は変化のない指定領域であると判定し、ステップＳ１０９に進む。
【００５６】
ステップＳ１０９に進み、撮影、検出機能９６は、表示用画像及び撮影画像の画素値の比較が全ての指定領域で終わったか否かを判定する。全ての指定領域で終わっていないと判定すれば（Ｓ１０９においてＮＯ）、撮影、検出機能９６はステップＳ１０５に戻る。全ての指定領域で終わったと判定すれば（Ｓ１０９においてＹＥＳ）、撮影、検出機能９６はステップＳ１０１に戻る。
【００５７】
図１０のステップＳ１５に戻り、表示、更新機能９２は更新情報を取得した旨が保存ファイル９４から通知される。前回の印刷開始から指定時間が経過すると、表示、更新機能９２はステップＳ１６に進み、印刷機能９３に印刷要求を行う。印刷機能９３はリライタブルボード印刷ドライバ９１を介して、行先掲示板表示装置１のリライタブルシート１１上の合成表示領域２１へ保存ファイル９４に保存されている表示用画像を印刷する。
【００５８】
また、印刷機能９３は、リライタブルボード印刷ドライバ９１を介して、行先掲示板表示装置１のリライタブルシート１１上の手書き入力領域２２へ保存ファイル９４に保存されているレイアウト用画像を印刷する。
【００５９】
ステップＳ１７に進み、表示、更新機能９２はコンピュータ装置４２のブラウザ１００に表示更新を指示する。ステップＳ１８に進み、ブラウザ１００は更新された表示用画像を更新表示する。
【００６０】
前回の印刷開始から一定時間待ったあと、撮影、検出機能９６はステップＳ１９でステップＳ１３と同様の撮影を行わせる。そして、撮影、検出機能９６は前述した図１２のフローチャートの処理を行う。ここでは変化のあった指定領域が無く、表示用画像の更新が行われなかったものとする。
【００６１】
続いてステップＳ２０〜Ｓ２２に進み、ステップＳ１〜Ｓ３と同様、ユーザからの更新入力に基づいて、保存ファイル９４が保存している表示用画像を更新する。前回の印刷開始から指定時間が経過すると、ステップＳ２３に進み、表示、更新機能９２はステップＳ４と同様、印刷機能９３に印刷要求を行う。
【００６２】
また、ステップＳ２４〜S２５に進み、ステップＳ５〜Ｓ６と同様、コンピュータ装置４２のブラウザ１００に表示更新を指示し、更新された表示用画像をブラウザ１００に更新表示させる。
【００６３】
ステップＳ２６では、ステップＳ１２と同様、ユーザが手書き入力領域２２上の透明板１２に手書きで書き込みを行っている。前回の印刷開始から一定時間待ったあと、ステップＳ２７でステップＳ１３と同様の撮影が行われる。そして、撮影、検出機能９６は前述した図１２のフローチャートの処理を行う。ここでは撮影画像に障害物が写っていると判定され、表示用画像の更新が行われなかったものとする。
【００６４】
また、ステップＳ２８では、更新情報を取得していない旨が保存ファイル９４から通知される。前回の印刷開始から指定時間が経過すると、ステップＳ２９に進み、表示、更新機能９２はステップＳ４と同様、印刷機能９３に印刷要求を行う。
【００６５】
また、ステップＳ３０〜S３１に進み、ステップＳ５〜Ｓ６と同様、コンピュータ装置４２のブラウザ１００に表示更新を指示し、更新された表示用画像をブラウザ１００に更新表示させる。
【００６６】
図１０及び図１２に示した処理を実現するため、保存ファイル９４には図１５に示すようなシステム設定情報，図１６に示すようなインデックス情報，図１７に示すような切り出し及び表示位置情報を保存ファイル９４に保存している。図１５はシステム設定情報の一例の構成図である。図１６はインデックス情報の一例の構成図である。図１７は切り出し及び表示位置情報の一例の構成図である。
【００６７】
例えば図１５のシステム設定情報には前回の印刷開始から待つ一定時間、指定領域の情報などが含まれる。図１６のインデックス情報は、指定領域と氏名とを対応付ける情報である。図１７の切り出し及び表示位置情報は、切り出した指定領域の位置及び表示位置を表す情報である。
【００６８】
次に、消去機能の有る行先掲示板制御装置４１の構成について説明する。図１８は行先掲示板制御装置の構成を説明する為の他の一例の構成図である。図１８の行先掲示板制御装置４１は、リライタブルボード印刷ドライバ９１と、表示、更新機能９２と、印刷機能９３と、保存ファイル９４と、掲示板認識用レイアウト編集機能９５と、撮影、検出機能９６と、カメラ撮影ドライバ９７とを有する構成である。
【００６９】
図１８の行先掲示板制御装置４１は印刷機能９３が掲示板画像印刷だけでなく、掲示板消去も可能である点で図９の行先掲示板制御装置４１と異なっている。図１８の行先掲示板制御装置４１が有する各構成の処理手順について図１９のシーケンス図を参照しつつ説明する。図１９は行先掲示板制御装置の処理手順について説明する為の他の一例のシーケンス図である。
【００７０】
なお、図１９のシーケンス図はステップＳ５６の処理が消去＆印刷要求となっている点で図１０のシーケンス図と異なっている。つまり、図１８の行先掲示板制御装置４１は印刷機能９３に印刷要求だけでなく、消去要求も行うことができる。例えばステップＳ５６に進み、表示、更新機能９２は印刷機能９３に消去＆印刷要求を行う。
【００７１】
印刷機能９３はリライタブルボード印刷ドライバ９１を介して、行先掲示板表示装置１のリライタブルシート１１上の合成表示領域２１から表示用画像を削除したあとで表示用画像を印刷できる。
【００７２】
また、印刷機能９３は、リライタブルボード印刷ドライバ９１を介して行先掲示板表示装置１のリライタブルシート１１上の手書き入力領域２２からレイアウト用画像を削除したあとでレイアウト用画像を印刷できる。なお、その他の説明は図９の構成図及び図１０のシーケンス図と同様であるため、説明を省略する。
【００７３】
次に、消去機能の有る行先掲示板制御装置４１の他の構成について説明する。図２０は行先掲示板制御装置の構成を説明する為の他の一例の構成図である。図２０の行先掲示板制御装置４１は、表示、更新機能９２と、印刷機能９３と、保存ファイル９４と、掲示板認識用レイアウト編集機能９５と、電子ペーパー印刷ドライバ２０２と、ベクタ情報入力装置ドライバ２０３と、検出機能２０４とを有する構成である。
【００７４】
図２０の行先掲示板制御装置４１は印刷機能９３が掲示板画像印刷だけでなく、掲示板消去も可能である点と、リライタブルボード印刷ドライバ９１が電子ペーパー印刷ドライバ２０２である点と、撮影、検出機能９６が検出機能２０４である点と、カメラ撮影ドライバ９７がベクタ情報入力装置ドライバ２０３である点とで図９の行先掲示板制御装置４１と異なっている。
【００７５】
図２０の行先掲示板制御装置４１が有する各構成の処理手順について図２１のシーケンス図を参照しつつ説明する。図２１は行先掲示板制御装置の処理手順について説明する為の他の一例のシーケンス図である。
【００７６】
ステップＳ７５〜Ｓ７７では、図１０のステップＳ１〜Ｓ３と同様、ユーザからの更新入力に基づいて表示用画像を更新する。ステップＳ７８では、表示、更新機能９２は印刷機能９３に消去＆印刷要求を行う。つまり、図２０の行先掲示板制御装置４１は印刷機能９３に印刷要求だけでなく、消去要求も行うことができる。
【００７７】
印刷機能９３は電子ペーパー印刷ドライバ２０２を介して、行先掲示板表示装置１の電子ペーパー（図示せず）上の合成表示領域２１から表示用画像を削除したあとで表示用画像を印刷できる。
【００７８】
また、印刷機能９３は、電子ペーパー印刷ドライバ２０２を介して行先掲示板表示装置１の電子ペーパー上の手書き入力領域２２からレイアウト用画像を削除したあとでレイアウト用画像を印刷できる。なお、ステップＳ７９〜Ｓ８５の処理は、図１０のステップＳ５〜Ｓ１１の処理と同様であるため、説明を省略する。
【００７９】
ステップＳ８６では、ユーザがベクタ情報入力装置２０１を利用して、手書き入力領域２２上の透明板１２に手書きで書き込みを行っている。ステップＳ８７に進み、検出機能２０４はベクタ情報入力装置ドライバ２０３からユーザによる書き込みを取り込む。検出機能２０４はユーザがベクタ情報入力装置２０１を利用して、手書き入力領域２２上の透明板１２に手書きで書き込んだ軌跡を検出すると共に、ラスター化を行う。
【００８０】
ステップＳ８８に進み、検出機能２０４は前述した図１２のフローチャートの処理を行ったあと、保存ファイル９４に保存されている表示用画像を更新する。ステップＳ８９の処理は図１０のステップＳ１５と同様であるため、説明を省略する。ステップＳ９０に進み、前述したステップＳ７８と同様、表示、更新機能９２は印刷機能９３に消去＆印刷要求を行う。
【００８１】
なお、ステップＳ９１〜Ｓ９５の処理は、図１０のステップＳ１７〜Ｓ２２の処理と同様であるため、説明を省略する。また、ステップＳ９６に進み、前述したステップＳ７８と同様、表示、更新機能９２は印刷機能９３に消去＆印刷要求を行う。ステップＳ９７及びステップＳ９８の処理は、図１０のステップＳ２４及びＳ２５と同様であるため、説明を省略する。
【００８２】
このように、実施例１の行先掲示板表示システム１では、手書き入力領域２２上の透明板１２上にマーカ１６等で手書きにより書き込むことで、手書きで書き込んだ内容を合成表示領域に表示されている表示用画像に合成できる。なお、手書き入力領域２２上の透明板１２上にマーカ１６等で書き込まれた筆跡は、例えば水性のマーカ１６を利用することにより容易に消去可能である。
【００８３】
図４に示した行先掲示板表示システム４０は、各種機能を組み合わせて図２２のような構成とすることもできる。図２２は本発明による行先掲示板表示システムの他の実施例の構成図である。図２２の行先掲示板表示システム２２０は、行先掲示板制御装置４１，複数のコンピュータ装置４２ａ〜４２ｄ，Ｗｅｂサーバー２２１，入退室管理システム２２４，ＲＦ−ＩＤタグリーダライタ（ＲＦ−ＩＤタグＲＷ）２２５が、ＬＡＮなどのネットワーク４５を介して接続されている。
【００８４】
また、コンピュータ装置４２ｅ，携帯電話２２２及びＰＤＡ２２３は、インターネット４４を介してＷｅｂサーバー２２１に接続されている。図２２の行先掲示板表示システム２２０は入退室管理システム２２４から例えば出社又は退社の情報を入手し、表示用画像に反映させることもできる。
【００８５】
また、図２２の行先掲示板表示システム２２０はコンピュータ装置４２の他、携帯電話２２２又はＰＤＡ２２３からの要求に基づいて、コンピュータ装置４２，携帯電話２２２又はＰＤＡ２２３のディスプレイ装置等に表示用画像を表示したり、表示用画像を更新したりすることもできる。
【００８６】
さらに、図４に示した行先掲示板表示システム４０は、将来的に図２３のような構成とすることもできる。図２３は本発明による行先掲示板表示システムの他の実施例の構成図である。
【００８７】
図２３の行先掲示板表示システム２３０は、行先掲示板表示装置１に汎用ネットワークＩ／Ｆを設け、ネットワーク２３５経由でコンピュータ装置４２，携帯電話２２２，ＰＤＡ２２３，入退室管理システム２２４，ＲＦ−ＩＤタグリーダライタ付位置情報検出システム２３１，複合機（ＭＦＰ）２３２，電子白板システム２３３及び他の行先掲示板表示装置２３４と接続された構成である。
【００８８】
図２３の行先掲示板表示システム２３０はネットワーク２３５経由で情報を入手して表示用画像に反映させたり、表示用画像をネットワーク２３５経由で提供したりすることも可能である。
【００８９】
なお、上記した実施例ではリライタブルシート又は電子ペーパーを利用している行先掲示板表示装置１を例に説明したが、コレステリック液晶，光書き込み型ｅ−ペーパー，強誘電性液晶，双安定ＬＣＤ，マイクロカプセル型（電気泳動），電子粉流体，消去可能インク・トナー，ロイコ染料可逆発色型，透明白濁型，磁性粉体移動，フォトクロミズム，エレクトロクロミック方式，有機ＥＬ（ＯＬＥＤ：Ｏｒｇａｎｉｃ  Ｌｉｇｈｔ  Ｅｍｉｔｔｉｎｇ  Ｄｉｏｄｅ），電界放射型ディスプレイ，異方性流体を用いた微粒子ディスプレイ（ＭＦＰＤ），エレクトロウェッティング方式などを利用している行先掲示板表示装置１であってもよい。
【００９０】
また、本実施例では情報合成表示システムの一例として行先掲示板システムを例に説明したが、ディスカッションボード，メッセージボード，駅の伝言板などへの適用も可能である。
【００９１】
本発明は、具体的に開示された実施例に限定されるものではなく、特許請求の範囲から逸脱することなく、種々の変形や変更が可能である。
【図面の簡単な説明】
【００９２】
【図１】本発明による行先掲示板表示装置のリライタブルシートと透明板との関係を示す外観図である。
【図２】行先掲示板表示装置が扱う領域を示すイメージ図である。
【図３】行先掲示板表示装置がリライタブルシート上の合成表示領域および手書き入力領域に印刷する行先掲示板の一例を示すイメージ図である。
【図４】本発明による行先掲示板表示システムの一実施例の構成図である。
【図５】合成情報更新処理の一例のイメージ図（１／２）である。
【図６】合成情報更新処理の一例のイメージ図（２／２）である。
【図７】上書きによる合成情報更新処理の一例のイメージ図である。
【図８】追記による合成情報更新処理の一例のイメージ図である。
【図９】行先掲示板制御装置の構成を説明する為の一例の構成図である。
【図１０】行先掲示板制御装置の処理手順について説明する為のシーケンス図である。
【図１１】外部入力情報の一例の構成図である。
【図１２】撮影、検出機能が行う処理手順を示した一例のフローチャートである。
【図１３】あおり補正について説明する為のイメージ図である。
【図１４】障害物検知の処理を説明する為のイメージ図である。
【図１５】システム設定情報の一例の構成図である。
【図１６】インデックス情報の一例の構成図である。
【図１７】切り出し及び表示位置情報の一例の構成図である。
【図１８】行先掲示板制御装置の構成を説明する為の他の一例の構成図である。
【図１９】行先掲示板制御装置の処理手順について説明する為の他の一例のシーケンス図である。
【図２０】行先掲示板制御装置の構成を説明する為の他の一例の構成図である。
【図２１】行先掲示板制御装置の処理手順について説明する為の他の一例のシーケンス図である。
【図２２】本発明による行先掲示板表示システムの他の実施例の構成図である。
【図２３】本発明による行先掲示板表示システムの他の実施例の構成図である。
【符号の説明】
【００９３】
１    行先掲示板表示装置
１１    リライタブルシート
１２    透明板
１６    マーカ
２１    合成表示領域
２２    手書き入力領域
３１，３２，４８    レイアウト
４０，２２０，２３０    行先掲示板表示システム
４１    行先掲示板表示装置
４２，４２ａ〜４２ｅ    コンピュータ装置
４６    カメラ
４７，６１    合成情報
５１    筆跡
５２    画像
５３    表示領域
５４    指定領域
９１    リライタブルボード印刷ドライバ
９２    表示、更新機能
９３    印刷機能
９４    保存ファイル
９５    掲示板認識用レイアウト編集機能
９６    撮影、検出機能
９７    カメラ撮影ドライバ
１４１    障害物判断領域
２２４    入退室管理システム
【図１】
2007257058.tif 000003
【図２】
2007257058.tif 000004
【図３】
2007257058.tif 000005
【図４】
2007257058.tif 000006
【図５】
2007257058.tif 000007
【図６】
2007257058.tif 000008
【図７】
2007257058.tif 000009
【図８】
2007257058.tif 000010
【図９】
2007257058.tif 000011
【図１０】
2007257058.tif 000012
【図１１】
2007257058.tif 000013
【図１２】
2007257058.tif 000014
【図１３】
2007257058.tif 000015
【図１４】
2007257058.tif 000016
【図１５】
2007257058.tif 000017
【図１６】
2007257058.tif 000018
【図１７】
2007257058.tif 000019
【図１８】
2007257058.tif 000020
【図１９】
2007257058.tif 000021
【図２０】
2007257058.tif 000022
【図２１】
2007257058.tif 000023
【図２２】
2007257058.tif 000024
【図２３】
2007257058.tif 000025